(57)【特許請求の範囲】
【請求項１】
被検眼に関する所定の測定を行うための測定光学系と、該測定光学系と被検眼との相対位置関係が所定のアライメント許容範囲内にあるか否かを検出するためのアライメント検出手段と、アライメント許容範囲に関する許容値を設定すると共に所定の条件に応じて許容値を変更する許容値変更手段と、該許容値変更手段により設定・変更された許容値でのアライメント許容範囲に応じて前記測定光学系により得られた被検眼に関する測定結果の信頼度を表示する信頼度表示手段とを備えた眼科装置において、
前記アライメント検出手段は被検眼に関する所定の測定開始前に前記相対位置関係についての第一の検出を行うと共に測定中又は測定完了直後の少なくとも何れか一方において前記相対位置関係についての第二の検出を行い、前記信頼度表示手段は前記第一及び前記第二の検出結果に応じたアライメント状態に基づいて信頼度の表示を行うことを特徴とする眼科装置。
【請求項２】
前記信頼度表示手段は、前記許容範囲設定変更手段により許容値が下げられた場合であって、前記アライメント検出手段により前記第二の検出結果がもとの許容値を満たしていることの検出結果を得たときには、もとの許容値に応じた信頼度を表示することを特徴とする請求項１に記載の眼科装置。
【発明の詳細な説明】
【０００１】
【発明の属する技術分野】
この発明は、被検眼の所定の特性を測定する眼科装置に関し、特に、測定光学系の光軸と被検眼とのアライメントの状態が所定の許容範囲内にあるか否かを検出するためのアライメント検出手段を備えるとともに、固視微動等の影響によってアライメントが完了するのが困難な場合に、より広い許容範囲に変更することができるようにした眼科装置に関する。
【０００２】
【従来の技術】
従来から、眼科装置においては、被検眼と光学系との間のアライメントが重要であることから、その多くは光学系と被検眼との間のアライメントの状態が所定の許容値内にあるか否かを検出するためのアライメント検出系を有している。
【０００３】
このアライメント検出系は、アライメントの状態が所定の許容値で設定された許容範囲（以下、「アライメント許容範囲」と称する。）内に入った場合に測定を開始するようにしている。
【０００４】
一方、眼科装置のうち、非接触式眼圧計や角膜内皮細胞撮影装置等は、測定精度や写真の画質向上のため、アライメント許容範囲が他の眼科装置に比べ非常に狭く設定されている。
【０００５】
しかしながら、このようにアライメント許容範囲が狭く設定されていると、いわゆる固視微動が激しい被検眼の場合に、なかなかアライメントが完了しないという問題が生ずる。
【０００６】
こうした場合に対応するため、特開昭６３−２８３６２０号公報等に開示されているように、アライメント許容範囲に関する許容値が複数設定されており、状況に応じて許容値を変更可能としたものが知られている。
【０００７】
例えば、アライメントの完了を受光センサの受光位置と光量レベルとで検出すると共に、図１０に示すように、アライメント許容範囲に関する許容値をレベルＡとした場合、図の線分ａで示すように、アライメントを開始してから所定時間Ｔｏが経過してもアライメントが完了しない（レベルＡに達しない）場合には、アライメント許容範囲に関する許容値をレベルＡからレベルＢへと引き下げ、この引き下げられたレベルＢの許容値に対応したアライメント許容範囲に入っていればアライメントを完了して測定を開始するものである。
【０００８】
また、レベルＡからレベルＢへと許容値を下げた場合には、当然ながら得られる測定値は、許容値を下げずに（レベルＡで）測定された測定値に比べ、多くの誤差を含むことになる。このため、特開昭６３−２８３６２０号公報に開示の装置では、どの許容値において測定がなされたかを表示する手段を設け、これにより検者に対し測定値の信頼性を報知している。
【０００９】
【発明が解決しようとする課題】
ところで、所定時間内にアライメント許容範囲に被検眼が入らず、許容値がレベルＡからレベルＢに下げられた場合であっても、測定の最中にはアライメント状態がレベルＡに達しているような場合もあり得る。このような場合、得られた測定値の信頼性は高いということができる。
【００１０】
しかしながら、特開昭６３−２８３６２０号公報に開示の装置では、許容値を下げた場合には、上述した測定の最中にアライメントの状態がレベルＡに達して信頼性の高い測定値を得られたにも関わらず、測定値の信頼性が低いという表示をすることになる。
【００１１】
本発明は、上記問題を解決するため、得られた測定値が本当に信頼性の高いものであるか低いものであるのかを認識させることができる眼科装置を提供することを目的とする。
【００１２】
【課題を解決するための手段】
その目的を達成するため、請求項１に記載の眼科装置は、被検眼に関する所定の測定を行うための測定光学系と、該測定光学系と被検眼との相対位置関係が所定のアライメント許容範囲内にあるか否かを検出するためのアライメント検出手段と、アライメント許容範囲に関する許容値を設定すると共に所定の条件に応じて許容値を変更する許容値変更手段と、該許容値変更手段により設定・変更された許容値でのアライメント許容範囲に応じて前記測定光学系により得られた被検眼に関する測定結果の信頼度を表示する信頼度表示手段とを備えた眼科装置において、
前記アライメント検出手段は被検眼に関する所定の測定開始前に前記相対位置関係についての第一の検出を行うと共に測定中又は測定完了直後の少なくとも何れか一方において前記相対位置関係についての第二の検出を行い、前記信頼度表示手段は前記第一及び前記第二の検出結果に応じたアライメント状態に基づいて信頼度の表示を行うことを要旨とする。
【００１３】
このような請求項１に記載の構成においては、測定開始前のみならず、測定中又は測定完了直後の少なくとも何れか一方におけるアライメント状態を検出し、その検出結果に基づいて被検眼の測定に関する信頼性の判断を行う。
【００１４】
請求項２に記載の眼科装置は、前記信頼度表示手段は、前記許容範囲設定変更手段により許容値が下げられた場合であって、前記アライメント検出手段により前記第二の検出結果がもとの許容値を満たしていることの検出結果を得たときには、もとの許容値に応じた信頼度を表示することを要旨とする。
【００１５】
【発明の実施の形態】
以下、この発明に係る眼科装置の実施の形態を、眼圧計に適用して図面に基づいて説明する。尚、この実施の形態の説明では、眼圧計に適用して説明するが、例えば、角膜内皮細胞撮影装置などの他の眼科装置であってもよいことは勿論である。
【００１６】
（実施の形態１）
図１において、装置本体Ｓは、被検眼Ｅの前眼部を観察するための前限部観察系１０、ＸＹ方向のアライメント検出及び被検眼Ｅの角膜変形検出（圧平検出）のために指標光束を被検眼Ｅの角膜Ｃに正面から投影するＸＹアライメント指標投影光学系２０、被検眼Ｅに固視標を提供する固視標投影光学系３０、ＸＹアライメント指標光の角膜Ｃによる反射光を受光して後述する装置本体Ｓと角膜ＣのＸＹ方向の位置関係を検出するＸＹアライメント検出光学系４０、ＸＹアライメント指標光の角膜Ｃによる反射光を受光し角膜Ｃの変形量を検出する角膜変形検出光学系５０を備えている。
【００１７】
また、装置本体Ｓは、図２に示すように、角膜Ｃに斜めからＺ方向のアライメント用指標光を投影するＺアライメント指標投影光学系６０、Ｚアライメント指標光の角膜Ｃによる反射光を前眼部観察光学系１０の光軸Ｏ１に対して対称な方向から受光し装置本体Ｓと角膜ＣのＺ方向の位置関係を検出するＺアライメント検出光学系７０を備えている。
【００１８】
ＸＹアライメント指標投影光学系２０とＸＹアライメント検出光学系４０とでＸＹアライメント検出手段が構成され、Ｚアライメント指標投影光学系６０とＺアライメント検出光学系７０とでＺアライメント検出手段が構成される。
【００１９】
前眼部観察光学系１０は、被検眼Ｅの左右に位置して前眼部をダイレクトに照明する複数個の前眼部照明光源１１、気流吹き付けノズル１２、前眼部窓ガラス１３、チャンバー窓ガラス１４、ハーフミラー１５、対物レンズ１６、ハーフミラー１７，１８、ＣＣＤカメラ１９を備えている。なお、前眼部窓ガラス１３とチャンバー窓ガラス１４とは気流吹き付けノズル１２から気流を吹き付けるためのシリンダー１２ａの一部を構成しており、このシリンダー１２ａには圧力センサ１２ｂが設けられている。
【００２０】
前眼部照明光源１１によって照明された被検眼Ｅからの反射光束は、気流吹き付けノズル１２の内外を通り、前眼部窓ガラス１３、チャンバー窓ガラス１４、ハーフミラー１５をこの順に透過し、対物レンズ１６により集束されつつハーフミラー１７，１８を透過してＣＣＤカメラ１９上に結像される。
【００２１】
ＸＹアライメント指標投影光学系２０は、赤外光を出射するＸＹアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５、チャンバー窓ガラス１４、気流吹き付けノズル１２を有する。
【００２２】
ＸＹアライメント用光源２１から出射された赤外光は、集光レンズ２２により集束されつつ開口絞り２３を通過し、ピンホール板２４に導かれる。そして、ピンホール板２４を通過した光束は、ダイクロイックミラー２５で反射され、投影レンズ２６によって平行光束となってハーフミラー１５で反射された後に、チャンバー窓ガラス１４を透過して気流吹き付けノズル１２の内部を通過し、図３に示すようにＸＹアライメント指標光Ｋを形成する。
【００２３】
図３において、ＸＹアライメント指標光Ｋは、角膜Ｃの頂点Ｐと角膜Ｃの曲率中心との中間位置に輝点像Ｒを形成するようにして角膜表面Ｔで反射される。なお、開口絞り２３は投影レンズ２６に関して角膜頂点Ｐと共役な位置に設けられている。
【００２４】
固視標光学系３０は、可視光を出射する固視標用光源３１、ピンホール板３２、ダイクロイックミラー２５、投影レンズ２６、ハーフミラー１５、チャンバー窓ガラス１４、気流吹き付けノズル１２を有する。
【００２５】
固視標用光源３１から出射された固視標光は、ピンホール板３２、ダイクロイックミラー２５を経て、投影レンズ２６により平行光束とされハーフミラー１５で反射された後に、チャンバー窓ガラス１４を透過し、気流吹き付けノズル１２の内部を通過して被検眼Ｅに導かれる。被検者はその固視標を固視目標として注視することにより視線が固定される。
【００２６】
ＸＹアライメント検出光学系４０は、気流吹き付けノズル１２、チャンバー窓ガラス１４、ハーフミラー１５、対物レンズ１６、ハーフミラー１７，１８、センサ４１を有する。
【００２７】
また、角膜変形検出光学系５０は、気流吹き付けノズル１２、チャンバー窓ガラス１４、ハーフミラー１５、対物レンズ１６、ハーフミラー１７、ピンホール板５１、センサ５２を有する。
【００２８】
ＸＹアライメント指標投影光学系２０により角膜Ｃに投影され、角膜表面Ｔで反射された反射光束は、気流吹き付けノズル１２の内部を通りチャンバー窓ガラス１４、ハーフミラー１５を透過し、対物レンズ１６により集束されつつハーフミラー１７でその一部が透過し、ハーフミラー１８でその一部が反射される。ハーフミラー１８で反射された光束は、センサ４１上に輝点像Ｒ’１を形成する。センサ４１はＰＳＤのような位置検出可能な受光センサである。
【００２９】
ハーフミラー１８を透過した角膜Ｃによる反射光束は、ＣＣＤカメラ１９上に輝点像Ｒ’２を形成する。ＣＣＤカメラ１９は画面Ｇに画像信号を出力し、図１，図４に示すように、被検眼Ｅの前眼部像Ｅ’、ＸＹアライメント指標光の輝点像Ｒ’２が画面Ｇに表示される。尚、符号Ｈは図示しない画像生成手段によって生成されて画面Ｇ上にてアライメント許容範囲を示すアライメント補助マークである。
【００３０】
また、ハーフミラー１７によって反射された一部の光束は、ハーフミラー１７に反射され、ピンホール板５１を通過してセンサ５２に導かれる。センサ５２はフォトダイオードのような光量検出の可能な受光センサである。
【００３１】
Ｚアライメント指標投影光学系６０は、Ｚ方向についてのアライメント状態を検出するための指標光束を投影するためのものであり、赤外光を出射するＺアライメント用光源６１、集光レンズ６２、開口絞り６３、ピンホール板６４、ピンホール板６４に焦点を一致させるように光路上に配置された投影レンズ６５を有する。なお、Ｏ２はその光軸である。
【００３２】
Ｚアライメント光源６１を出射した赤外光は、集光レンズ６２により集光されつつ開口絞り６３を通過してピンホール板６４に導かれる。ピンホール板６４を通過した指標光束Ｆは、投影レンズ６５によって平行光束Ｆとされ角膜Ｃに導かれ、図５に示すように、輝点像Ｑを形成するようにして角膜表面Ｔにおいて反射される。なお、開口絞り６３は投影レンズ６５に関して角膜頂点Ｐと共役な位置に設けられている。
【００３３】
Ｚアライメント検出光学系７０は、結像レンズ７１、Ｙ方向にパワーを持ったシリンドリカルレンズ７２、センサ７３を有し、Ｏ３はその光軸である。
【００３４】
Ｚアライメント指標投影光学系６０によって投影された指標光Ｆの角膜表面Ｔにおける反射光束は、結像レンズ７１によって集束されつつシリンドリカルレンズ７２を介してセンサ７３上に輝点像Ｑ’を形成する。センサ７３はラインセンサやＰＳＤのような位置検出可能な受光センサである。
【００３５】
なおＸＺ平面内においては、輝点像Ｑとセンサ７３は結像レンズ７１に関して共役な位置関係にあり、ＹＺ平面内においては、角膜頂点Ｐとセンサ７３が結像レンズ７１、シリンドリカルレンズ７２に関して共役な位置関係にある。つまりセンサ７３は開口絞り６３と共役関係にあり（このときの倍率は、開口絞り６３の像がセンサ７３の大きさより小さくなるように選んである）、Ｙ方向に角膜Ｃがずれたとしても角膜表面Ｔにおける反射光束は効率良くセンサ７３に入射するようになる。また、Ｙ方向に長いスリット光を投影することによっても効率は落ちるが同様な効果を得ることができる。
【００３６】
一方、各センサ１２ｂ，４１，５２，７３から出力された各信号は、圧力検出回路８１，ＸＹアライメント検出回路８２，圧平検出回路８４，Ｚアライメント検出回路８３を経由して演算制御回路８０に出力される。
【００３７】
圧力検出回路８１は、圧力センサー１２ｂからの出力信号に基づいてシリンダー１２ａ内での気流の圧力を検出するためのもので、この検出結果により図１０の線分ｂで示す圧力曲線を得ることができる。尚、この圧力曲線のピーク量並びにピーク位置に基づいて気流吹き付けノズル１２から角膜Ｃに向けて吹き付ける気流の圧力を調整することもできる。
【００３８】
ＸＹアライメント検出回路８２は、センサ４１の出力を基にして、ＸＹ方向についての装置本体Ｓと角膜Ｃの位置関係、すなわち、Ｘ方向及びＹ方向に関するアライメントのずれ量Δｘ，Δｙを演算し、その演算結果を演算制御回路８０に出力する。
【００３９】
Ｚアライメント検出回路８３は、センサ７３上の輝点像Ｑ‘の結像位置に基づいて、装置本体Ｓと角膜ＣとのＺ方向の位置関係、即ち、Ｚ方向に関するアライメントのずれ量ΔＺを演算し、この演算結果を演算制御回路８０に出力する。
【００４０】
圧平検出回路８４は、圧平検出センサ５２からの出力信号に基づいて角膜Ｃの眼圧値を検出するためのもので、この検出結果により図１０の線分ｃで示す圧平曲線を得ることができる。
【００４１】
演算制御回路８０は、ＸＹアライメント検出回路８２から出力されたＸ方向及びＹ方向に関するアライメントのずれ量Δｘ、Δｙとメモリ８５に記憶された許容値Δｘｏ、Δｙｏとを比較して、この比較の結果に応じてアライメント駆動系８７を駆動するための制御信号を生成させ、アライメント駆動系８７に向けて出力する。同様に、Ｚアライメント検出回路８３から出力されたＺ方向に関するアライメントのずれ量Δｚとメモリ８５に記憶された許容値Δｚｏとを比較して、この比較の結果に応じてアライメント駆動系８７を駆動するための制御信号を生成させ、アライメント駆動系８７に向けて出力する。許容値Δｘｏ、Δｙｏは、自動アライメント開始から所定時間Ｔｏを経過した後も自動アライメントが完了しない場合にはより大きな許容量に変更される。固視微動等によりアライメント調整が困難になるのは、主にＸＹ方向であるので、本実施例においてはΔｚｏは変更しないこととしている。もちろん、許容値Δｘｏ、Δｙｏと同様にΔｚｏを変更するようにすることも可能である。
【００４２】
図７は眼科装置Ｓの全体構成を示す側面図、図８は眼科装置Ｓの要部の平面図である。図において、１００は電源が内蔵されたべースである。ベース１００の上部には架台１０１がコントロールレバー１０２の操作により前後左右移動可能に設けられている。コントロールレバー１０２には手動スイッチ１０３が設けられ、この千動スイッチ１０３は手動モードのときに用いられる。架台１０１の上部にはモータ１０４、支柱１０５が設けられている。
【００４３】
また、ベース１００の右側部には、支柱１４０が設けられており、この支柱１４０には顎受け台１４１が設けられている。この顎受け台１４１は調整つまみ１４２によって上下方向（Ｙ方向）に移動し、調整つまみ１４３によって左右方向（Ｘ方向）に移動するようになっている。１４４は額当てである。
【００４４】
モータ１０４と支柱１０５とは図示を略すピニオン・ラックにより結合され、支柱１０５はモータ１０４によって上下方向（Ｙ方向）に移動される。支柱１０５の上端にはテーブル１０６が設けられている。
【００４５】
テーブル１０６には支柱１０７、モータ１０８が設けられている。支柱１０７の上端にはテーブル１０９が摺動可能に設けられている。テーブル１０９の後端にはラック１１０が設けられている。モータ１０８の出力軸にはピニオン１１１が設けられ、ピニオン１１１はラック１１０に噛み含わされている。また、テーブル１０９の上部にはモータ１１２と支柱１１３とが設けられている。モータ１１２の出力軸にはピニオン１１４が設けられている。支柱１１３の上部には装置本体Ｓの本体ケース１１５が摺動可能に設けられている。本体ケース１１５の側部にはラック１１６が設けられている。ラック１１６はピニオン１１４と噛み合わされている。なお、本体ケース１１５の内部には、図１および図２に示した光学系が収納されている。
【００４６】
モータ１０４，１０８，１１２は、前述の演算制御回路８０から出力される制御信号によって制御される。そして装置本体Ｓは、モータ１０４に制御信号が出力されたときはＹ方向の移動が、モータ１０８に制御信号が出力されたときはＸ方向の移動が、モー夕１１２に制御信号が出力されたときはＺ方向の移動がそれぞれ制御され、これによって、アライメント調整が自動で行われる。
【００４７】
以上の構成において、図６（Ａ）に示すように、角膜Ｃの位置がＺ方向にΔＺずれた場合、センサ７３上で輝点像Ｑ’の位置がΔＺ×ｓｉｎθ×ｍだけ移動する。ここでθは光軸Ｏ１と光軸Ｏ２および光軸Ｏ１と光軸Ｏ３のなす角度、ｍはＺアライメント光学系７０の結像倍率である。角膜ＣがＺ方向にずれただけであればセンサ７３上での輝点像Ｑ１の移動量から、角膜ＣのＺ方向についてのアライメントずれ量は容易に算出できる。
【００４８】
しかし、図６（Ｂ）に示すように、Ｚアライメント指標投影光学系の光軸Ｏ２およびＺアライメント検出光学系７０の光軸Ｏ３を含む面と平行な方向であるＸ方向について、アライメントのずれ量Δｘが生じた場合もセンサ７３上で輝点像Ｑ１の位置がΔｘ×ｃｏｓθ×ｍだけ移動する。このため、ずれ量Δｘが大きい場合にはＺ方向のアライメント検出誤差が大となり、自動アライメント機構が正常に機能しない。
【００４９】
このため、本実施の形態においては、Ｚ方向のアライメント検出精度に影響がない程度までＸ方向のアライメントずれ量Δｘが小さくならない限り、Ｚ方向のアライメント駆動を許可しないように構成している。
【００５０】
即ち、演算制御回路８０は、ＸＹアライメント検出回路８２が検出したＸ方向のアライメントずれ量Δｘに基づいてＺアライメント検出回路８３の検出結果が信頼性が有ると判断する信頼性判断手段としての機能と、モータ１１２に制御信号を出力して装置本体ＳのＺ方向のアライメントを行わせる駆動許可手段としての機能を有している。
【００５１】
次に、この実施形態の眼科装置の動作を図９に示すフロー図を参照しながら説明する。尚、図面では、便宜上各ステップを○付き数字で示している。また、図１０に各ステップのタイミングの一部を○付き数字で示している。
【００５２】
先ず検者は、モニタ画面Ｇに表示される前眼部像Ｅ’を観察しながら、輝点像Ｒ’２がアライメント補助マークＨ内に入るように装置本体ＳをＸＹ方向に手動で移動するという基本操作を行う。また、この操作が完了すると自動アライメントが開始される。
【００５３】
（ステップ１）
ステップ１では、上述した基本操作により、受光センサ４１に輝点像Ｒ１１が受光されるようになると、自動アライメントが開始されてステップ２へと移行する。すなわち、演算制御回路８０は、ＸＹアライメント検出回路８２の出力に基づいて、モータ１０８に制御信号を出力し、装置本体ＳをＸ方向に移動させ、アライメントのずれ量Δｘ、Δｙがそれぞれ所定の許容値Δｘｏ、Δｙｏよりも小さいか否かが監視される。ここでは、許容値Δｘｏ，Δｙｏの初期値が、それぞれΔｘｏｆ、Δｙｏｆに設定されているものとする。
【００５４】
（ステップ２）
ステップ２では、ステップ１の開始と同時に、タイマがスタートすると共に自動アライメントが開始され、この開始に連動して時間Ｔの計時が開始されてステップ３へと移行する。また、ずれ量Δｘ、Δｙが継続して監視される。
【００５５】
（ステップ３）
ステップ３では、タイマによる計時時間Ｔが所定時間Ｔｏより大きいか否か、即ち、所定時間Ｔｏが経過したか否か判断され、アライメントのずれ量Δｘ、Δｙが許容値Δｘｏ、Δｙｏよりも大きいまま所定時間Ｔｏが経過した場合にはステップ４へと移行する。ここで、所定時間Ｔｏは、固視微動の小さい被検限を測定する場合に、自動アライメントのために要する時間よりも十分長い時間に設定する。また、所定時間Ｔｏが経過する前であればタイマによる計時時間Ｔの計時を継続したままステップ５に移行する。
【００５６】
（ステップ４）
ステップ４では、自動アライメントによる位置合わせが困難と判断し、許容値Δｘｏ、Δｙｏを、それぞれ初期値Δｘｏｆ、Δｙｏｆに値αを加算した大きい変更値（実質的にはレベル値を下げる）に変更してステップ５へと移行する。これにより、アライメントのずれ量Δｘ、Δｙの許容値が大きくなり、アライメントの完了が容易になる。尚、値αは時間の経過と共に段階的或いは連続的に加算する構成、即ち、レベルＡからレベルＢへの移行を段階的或いは連続的としても良い。
【００５７】
（ステップ５）
ステップ５では、Ｘ方向のアライメントのずれ量Δｘ、Ｙ方向のアライメントのずれ量Δｙが許容値Δｘｏ、Δｙｏ以上であるか否かが監視される。Δｘ＞ΔｘｏまたはΔｙ＞Δｙｘｏの場合にはステップ６へと移行し、Δｘ≦ΔｘｏまたはΔｙ≦Δｙｘｏとなった場合にはステップ７へと移行する。
【００５８】
（ステップ６）
ステップ６では、ステップ５によってΔｘ＞ΔｘｏまたはΔｙ＞Δｙｘｏとなっていることから、ＸＹアライメントが未だ完了していない、即ち、ずれ量ΔｘまたはΔｙの方が大きいと判断されたため、例えば、その差分に応じてアライメント許容範囲に近付くようにＸＹアライメント駆動系を駆動してアライメント動作を続行し、以下、アライメントが完了するまでステップ３からステップ６までのルーチンが繰り返される。
【００５９】
（ステップ７）
する。ＮＯの場合には、ステップ７に移行する。
【００６０】
ステップ７では、ステップ３〜ステップ６までのアライメント状況に応じたルーチンによってＸＹ方向のアライメントが完了したと判断されたため、今度はＺ方向のアライメントを行うルーチンに移行したもので、先ず、Δｚ＜Δｚｏｆとなっているかによって、現在のＺ方向のアライメント状況が判断され、Δｚ＞Δｚｏｆの場合にはＺ方向のアライメントが完了していないと判断してステップ８へと移行し、Δｚ≦Δｚｏｆとなっている場合にはＺ方向のアライメントが完了したとしてステップ９へと移行する。
【００６１】
（ステップ８）
ステップ８では、ステップ７においてＺ方向のアライメントが未だ完了していない、即ち、ずれ量Δｚの方が許容値Δｚｏｆよりも大きいと判断されたため、例えば、その差分に応じてアライメント許容範囲に近付くようにＺアライメント駆動系を駆動してアライメント動作を続行し、以下、Ｚ方向のアライメントが完了するまでステップ７，８のルーチンが繰り返される。
【００６２】
（ステップ９）
ステップ９では、ステップ３〜ステップ８までのアライメント状況に応じたルーチンによってＸＹＺ方向の全てのアライメントが完了したと判断されたため、測定開始を指示するトリガ信号が演算制御回路８０より出力されて気流吹き付けノズル１２から気流が噴出され、ステップ１０へと移行する。
【００６３】
（ステップ１０）
ステップ１０では、トリガ信号の出力から所定時間Ｔｓ（例えば、１０ｍｓ〜４０ｍｓの範囲で設定）経過すると、ＸＹアライメント検出回路８２が、センサ４１からの出力を再度サンプルホールドし、これに基づいてアライメントのずれ量Δｘ、Δｙの再確認を行なう。また、ステップ１０では、圧平検出センサ５２及び圧力検出センサ１２ｂの出力に基づいて圧平曲線（図１０の線分ｃ）、圧力曲線（図１０の線分ｂ）が取得され、演算制御回路８０によって両センサからの出力を所定間隔でサンプリングすることにより曲線を得る。また、得られた曲線に基づき、眼圧値が測定されてステップ１１へと移行する。
【００６４】
尚、トリガ信号の出力からの所定時間Ｔｓの設定は、例えば、トリガ信号の出力から気流吹き付けのためのピストン（図示せず）が実際に動き始めるまでの間のタイムラグ（２０ｍｓ程度）等を考慮して設定される。この所定期間Ｔｓは、適宜変更することが可能である。例えば、測定中のアライメント状態を圧平ピーク（図１０のｐ１）を検出した際に測定するようにしてもよいし、気流吹き付けのためのエアパルス（図１０の線分ｂ）の圧力がピーク（図１０のｐ２）に達する時間、又は吹き付け圧力が完全にゼロになる時間等で設定することにより、測定完了直後のアライメント状態を再確認するようにしてもよい。さらに、測定中と測定完了直後の両方のタイミングで行っても良い。
【００６５】
（ステップ１１）
ステップ１１では、ステップ１０で再確認したずれ量Δｘ、Δｙが、初期値Δｘｏｆ、Δｙｏｆで設定された許容値Δｘｏ、Δｙｏに基づくものなのか変更値Δｘｏｆ＋α、Δｙｏｆ＋αで設定された許容値Δｘｏ、Δｙｏに基づくものなのかが判断され、初期値Δｘｏｆ、Δｙｏｆで設定された許容値Δｘｏ、Δｙｏに基づく場合（ＹＥＳ）にはステップ１２へと移行し、変更値Δｘｏｆ＋α、Δｙｏｆ＋αで設定された許容値Δｘｏ、Δｙｏに基づく場合（ＮＯ）にはステップ１３へと移行する。
【００６６】
（ステップ１２）
ステップ１２では、アライメントが高い許容値で完了した状態であるときに得られた測定値であることから、測定値の信頼性が高いと判断して、演算制御回路８０からモニタ装置８８に信頼性の高い測定値であるとの出力信号が出力され、モニタＧに得られた測定値がそのまま表示されて、測定に関するルーチンが終了する。
【００６７】
このため、ステップ４において許容値が変更されていた場合であっても、ステップ１０での判定次第では、信頼性のある測定値であるとして表示される。このため、無用な測定の回数が減り、検者・被検者の何れの負担も減る。
【００６８】
（ステップ１３）
ステップ１３では、アライメントが低い許容値で完了した状態であるときに得られた測定値であることから、測定値の信頼性が低いと判断して、演算制御回路８０からモニタ装置８８に信頼性の低い測定値であるとの出力信号が出力され、モニタＧに得られた測定値が（  ）で括られて表示されて、測定に関するルーチンが終了する。尚、信頼性が低いとの認識ができれば測定値に下線をひいたものや、（セイド×）若しくは（精度×）のように文字を表示しても良い。また、上述したステップ４を経由していない場合でも、例えば、アライメント完了後にアライメントがずれてしまい、このずれたままステップ１０で眼圧値が測定された場合にも得られた測定値の信頼性が低いとの表示がなされる。
【００６９】
【発明の効果】
以上説明したように、請求項１に記載の眼科装置は、アライメント検出手段は被検眼に関する所定の測定開始前に相対位置関係についての第一の検出を行うと共に測定中又は測定完了直後の少なくとも何れか一方において相対位置関係についての第二の検出を行い、信頼度表示手段は第一及び第二の検出結果に応じたアライメント状態に基づいて信頼度の表示を行うことにより、測定開始前のみならず、測定中又は測定完了直後の少なくとも何れか一方におけるアライメント状態を検出し、その検出結果に基づいて被検眼の測定に関する信頼性の判断を行うことができ、得られた測定値が本当に信頼性の高いものであるか低いものであるのかを認識させることができる。
【００７０】
また、請求項２に記載の眼科装置は、信頼度表示手段は、許容範囲設定変更手段により許容値が下げられた場合であって、アライメント検出手段により第二の検出結果がもとの許容値を満たしていることの検出結果を得たときには、もとの許容値に応じた信頼度を表示することにより、測定中若しくは測定完了直後にはアライメント状態がもとの許容値を満たしたことを認識することができる。
【図面の簡単な説明】
【図１】本発明に係る眼科装置の光学系の要部の側面配置図である。
【図２】本発明に係る眼科装置の光学系の要部の平面配置図である。
【図３】角膜に正面から照射されたアライメント光束の反射の説明図である。
【図４】モニタに表示された前眼部像を示す図である。
【図５】角膜に斜め方向から照射されたアライメント光束の反射の説明図である。
【図６】角膜の位置がずれた場合の光束の入反射関係を示す図であって、（ａ）は角膜がＺ方向にずれた場合の説明図、（ｂ）は角膜がＸ方向にずれた場合の説明図である。
【図７】眼科装置の外観の側面図である。
【図８】眼科装置の要部の外観の平面図である。
【図９】演算制御部の処理ルーチンを示すフロー図である。
【図１０】アライメント状態の検出例のグラフ図である。
【符号の説明】
Ｓ…眼科装置
Ｅ…被検眼
４１…センサ（アライメント検出手段）
５０…角膜変形検出光学系（測定光学系）
８０…演算制御回路（許容値変更手段）
８８…モニタ装置（信頼度表示手段）
【図１】
0004494596.tif 000002
【図２】
0004494596.tif 000003
【図３】
0004494596.tif 000004
【図４】
0004494596.tif 000005
【図５】
0004494596.tif 000006
【図６】
0004494596.tif 000007
【図７】
0004494596.tif 000008
【図８】
0004494596.tif 000009
【図９】
0004494596.tif 000010
【図１０】
0004494596.tif 000011